(57)【特許請求の範囲】
【請求項１】
本体部を閉塞する閉塞位置と本体部を開放する開放位置との間を移動するカバー体と、
上記カバー体を閉塞位置にロックするロック位置と該ロックを解除するロック解除位置との間を移動するロックレバーと、
ロックレバーのロック解除位置への移動を規制する規制位置とロックレバーのロック解除位置への移動を許容する非規制位置との間を移動する規制手段と、
ロックレバーをロック位置へ向けて付勢する第１の付勢手段と、
ロックレバーと操作部との間を連結すると共に操作部をロックレバーのロック位置と同じ方向へ付勢し且つ第１の付勢手段の付勢力より大きな付勢力を有するする第２の付勢手段とを備え、
上記規制手段が非規制位置にあるときに操作部をロック解除位置へと移動させると第１の付勢手段に抗してロックレバーがロック解除位置へと移動され、上記規制手段が規制位置にあるときに操作部をロック解除位置へと移動させると第２の付勢手段に抗して操作部のみがロック解除位置へと移動する
ことを特徴とするカバー体のロック機構。
【発明の詳細な説明】
【０００１】
【発明の属する技術分野】
本発明はカバー体のロック機構に関する。詳しくは、カバー体のロック解除が禁止されているときにロック解除のための操作を行っても操作者に違和感を与えず、また、操作者の誤解による機構の破損を防止する技術に関する。
【０００２】
【従来の技術】
本体部を開閉するカバー体が設けられている装置において、カバー体の開放を禁止する必要がある場合がある。
【０００３】
例えば、薄い箱形のカートリッジケース内に円板状の記録媒体を収納して成るディスクカートリッジを使用し、上記記録媒体に信号の記録を行う記録装置には、信号が全て記録された後に、所謂ＴＯＣ（Table of contents）情報と称される参照情報を記録してから記録動作が終了するようになっているものがある。そして、記録装置において信号の再生を行う場合は、ＴＯＣ情報を探し出し、該ＴＯＣ情報を元に信号の再生動作を行うようになっている。
【０００４】
具体的には、記録終了時に、操作者がストップボタンを押すと、信号の記録を停止し、その後で、ＴＯＣ情報を書き込むシステムをとっている。
【０００５】
かかる記録装置において、信号の記録中にカバー体が開けられてしまうと、ストップボタンが押される前に記録動作が中断されてしまい、ＴＯＣ情報が書き込まれないため、再生をすることができないことになってしまう。
【０００６】
そのために、記録装置にあっては、信号の記録動作中はカバー体を開放することができないようにすることが一般的に行われている。
【０００７】
例えば、図２１に示すように、カバー体を閉塞位置にロックするロック位置とカバー体の閉塞位置へのロックを解除するロック解除位置との間を移動するロックレバーＥの他に、該ロックレバーＥのロック解除位置への移動を阻止する規制位置とロックレバーＥのロック解除位置への移動を許容する非規制位置との間を移動する規制手段Ｆとを設け（図２１（Ａ）参照）、再生時や停止時には規制手段Ｆを図２１（Ｂ）に示す非規制位置に位置させて、ロックレバーＥが図２１（Ｂ）に示すロック解除位置へと移動するのを許容し、記録時には規制手段Ｆを図２１（Ｃ）に示す規制位置に位置させて、ロックレバーＥがロック解除位置へと移動するのを阻止するようにしている。
【０００８】
【発明が解決しようとする課題】
ところで、図２１に示した機構にあっては、記録時に操作者が誤ってロックレバーＥをロック解除位置に移動しようと操作すると、ロックレバーＥの一部が規制手段Ｆに衝合してロック解除位置への移動を阻止されるので、操作者には強い衝撃、所謂ドツキ感が伝わり、感触が悪いと共に、操作者が操作するロックレバーＥと一体的な操作部Ｇが動かないため、操作者の誤解を招き、操作者の無理矢理動かそうとする操作により、操作部ＧやロックレバーＥが破損するおそれがあるという問題がある。
【０００９】
そこで、本発明は、カバー体のロック解除が禁止されているときにロック解除のための操作を行っても操作者に違和感を与えず、また、操作者の誤解による機構の破損を防止することを課題とする。
【００１０】
【課題を解決するための手段】
本発明カバー体のロック機構は、上記した課題を解決するために、本体部を閉塞する閉塞位置と本体部を開放する開放位置との間を移動するカバー体と、上記カバー体を閉塞位置にロックするロック位置と該ロックを解除するロック解除位置との間を移動するロックレバーと、ロックレバーのロック解除位置への移動を規制する規制位置とロックレバーのロック解除位置への移動を許容する非規制位置との間を移動する規制手段と、ロックレバーをロック位置へ向けて付勢する第１の付勢手段と、ロックレバーと操作部との間を連結すると共に操作部をロックレバーのロック位置と同じ方向へ付勢し且つ第１の付勢手段の付勢力より大きな付勢力を有するする第２の付勢手段とを備え、上記規制手段が非規制位置にあるときに操作部をロック解除位置へと移動させると第１の付勢手段に抗してロックレバーがロック解除位置へと移動され、上記規制手段が規制位置にあるときに操作部をロック解除位置へと移動させると第２の付勢手段に抗して操作部のみがロック解除位置へと移動するようにしたものである。
【００１１】
従って、本発明カバー体のロック機構にあっては、ロックレバーのロック解除位置への移動が規制されている場合であっても、操作部はロック解除方向に移動可能であるので、操作者に違和感を与えることがなく、また、操作者の誤解による機構の破損のおそれもない。
【００１２】
【発明の実施の形態】
以下に本発明を光磁気ディスク記録装置に適用した実施の形態を添付した図面を参照して説明する。
【００１３】
図２に示すように、光磁気ディスク記録装置１において使用するディスクカートリッジ２は、矩形の扁平な箱状をしたカートリッジケース３内に光磁気ディスク４が回転可能に収納されて成る。そして、ディスクカートリッジ２には、カートリッジケース３の下面の中心部に光磁気ディスク４の中心部に取着された図示しないディスクハブを露出させるための図示しない中心孔が形成されている。また、ディスクカートリッジ２には、光磁気ディスク４の信号記録面を光ピックアップに対向させるための図示しないピックアップアクセス孔が形成され、また、カートリッジケース３の上面の上記ピックアップアクセス孔に対応した位置には、後述する信号記録用の磁気ヘッドがカートリッジケース３内に進入して光磁気ディスク４に接触するためのヘッドアクセス孔５が形成されている。
【００１４】
上記ピックアップアクセス孔及びヘッドアクセス孔５を開閉するシャッター６が、ピックアップアクセス孔及びヘッドアクセス孔５を閉塞する閉塞位置とピックアップアクセス孔及びヘッドアクセス孔５を開放する開放位置との間を摺動自在にカートリッジケース３に支持されてディスクカートリッジ２が形成される（図２参照）。
【００１５】
シャッター６のカートリッジケース３の端面に対向した部分には係合孔６ａが形成され、また、カートリッジケース３のシャッター６の係合孔６ａが形成された部分に対向した端面にはシャッター開放部材が進入する溝３ａが形成され、該溝３ａ内にシャッター６を閉塞位置にロックするロック部材の被押圧部６ｂが位置している（図２参照）。
【００１６】
光磁気ディスク記録装置１は、上面が開放された薄い箱状をした本体ケース７と該本体ケース７に回動自在に設けられ本体ケース７の上面を開閉するカバー体８とから成る筐体内に、装置本体部９及びホルダ１０が設けられて成る（図１及び図２参照）。ホルダ１０は、ディスクカートリッジ２を保持して光磁気ディスク４を上記装置本体部９の所定のディスク装着部に装着する装着位置と該ディスク装着部から離間しディスクカートリッジ２の挿脱を行う挿脱位置との間を移動する。
【００１７】
上記本体ケース７の前面にはオープン摘子１１及び記録摘子１２が配置されている（図１及び図２参照）。オープン摘子１１は、右方、即ち、図中矢印Ｈ方向へ移動させれことによって上記カバー体８の本体ケース７の上面を閉塞する閉塞位置へのロックを解除するようになっており、また、記録摘子１２は、右方、即ち、図中矢印Ｈ方向へ移動されることによって、光磁気ディスク４への記録動作が開始されるようになっている。さらに、カバー体８の上面には液晶表示部１３及び各種の操作釦１４、１４、・・・が配設されている（図１及び図２参照）。
【００１８】
装置本体部９は、光磁気ディスク４を回転駆動する回転駆動部１５、光磁気ディスクの信号記録面にレーザ光を照射して信号の再生及び／又は記録を行う光ピックアップ１６等がシャーシ１７に搭載されて成る（図３参照）。
【００１９】
シャーシ１７の前面にはロックレバー１８が左右方向へ移動自在に支持され、該ロックレバー１８の上縁にはロック爪１９が上方へ突出して設けられている（図２乃至図５参照）。ロック爪１９は正面から見て左方へ突出した爪部１９ａの端縁が左下がりの傾斜縁１９ｂとされている。そして、上記ロックレバー１８とシャーシ１７との間には圧縮コイルバネ２０が介挿され、該圧縮コイルバネ２０によってロックレバー１８は、左方、即ち、図中矢印Ｉ方向へ付勢されている。また、ロックレバー１８の右端部の上縁からは被規制部２１が後方へ向けて突出して設けられており、さらに、ロックレバー１８の左端部からはスイッチ押圧片２２が後方へ突出して設けられている（図５参照）。
【００２０】
シャーシ１７の前面には上記オープン摘子１１と連結されたオープンレバー２３が左右方向へ移動自在に支持され、該オープンレバー２３とロックレバー１８とが引張コイルバネ２４によって連結されている（図３乃至図５参照）。引張コイルバネ２４の引張力は上記圧縮コイルバネ２０の伸張力より強くされている。従って、上記オープン摘子１１に矢印Ｈ方向への力が付与されていないときには、圧縮コイルバネ２０の伸張力によってオープンレバー２３及びオープン摘子１１が移動範囲の左端に位置している。
【００２１】
上記カバー体８の前端部の内面には係合部材２５が取着されている（図２及び図１２参照）。係合部材２５には正面から見て右方へ突出した係止部２５ａが形成されており、該係止部２５ａの先端面は左下がりの傾斜部２５ｂとされている。
【００２２】
シャーシ１７の中央部にスピンドルモータ２６が支持され、該スピンドルモータ２６のロータ２７の上面部２８がターンテーブルとされ（図２及び図３参照）、該ターンテーブル２８上に上記光磁気ディスク４の中心部が載置される。このスピンドルモータ２６とターンテーブル２８とによって回転駆動部１５が構成される。
【００２３】
シャーシ１７の回転駆動部１５が配置された部分から一の側縁、即ち、右側縁にかけて大きな開口部２９が形成され、該開口部２９から上方を臨むようにして光ピックアップ１６が回転駆動部１５に対して離接する方向、即ち、図３中矢印Ｊ方向（左右方向）へ移動自在にされている（図２、図３及び図７参照）。光ピックアップ１６は一端部がシャーシ１７の下面に配設されたガイド軸３０に摺動自在に支持され、他端部に設けられたナット部３１が送りモータ３２によって回転されるリードスクリュー３３に係合している（図７参照）。従って、送りモータ３２の駆動によってリードスクリュー３３が回転され、該リードスクリュー３３と係合しているナット部３１がリードスクリュー３３の軸方向へ送られるので、光ピックアップ１６が図３中矢印Ｊ方向へ移動される。
【００２４】
シャーシ１７の右側面に制御レバー３４が前後方向へ移動自在に支持されている（図３及び図４参照）。制御レバー３４の後端部上縁には前下がりに傾斜した傾斜カム縁３５が形成されている。また、制御レバー３４の前端寄りの部分の下縁にはラック３６が形成されている。さらに、制御レバー３４の前端部に規制部３７として設けられている。
【００２５】
上記ガイド軸３０の一端部はシャーシ１７の右端から突出され、該部分にピニオン３８が固定され、該ピニオン３８が制御レバー３４のラック３６と噛合している（図３、図４及び図７参照）。シャーシ１７の下面に制御モータ３９が取り付けられており、該制御モータ３９と上記ガイド軸３０とが伝達ギヤ列４０によって連係され、制御モータ３９の駆動によってガイド軸３０が回転されるようになっている（図３及び図７参照）。
【００２６】
ユーザーによって記録摘子１２が矢印Ｈ方向へ操作されて記録指令が為されると、制御モータ３９の駆動により、回転するピニオン３８によってラック３６が送られて制御レバー３４が前方、即ち、移動範囲の前端である記録位置へ向かって図３及び図４中矢印Ｋ方向へ移動される。
【００２７】
そして、記録動作が終了すると、制御モータ３９の駆動によりピニオン３８が上記した場合と反対方向へ回転され、該ピニオン３８によってラック３６が送られて制御レバー３４は後方、即ち、移動範囲の後端である非記録位置に向かって図３及び図４中矢印Ｌ方向へ移動される。
【００２８】
ホルダ１０はバネ弾性を有する板材料で、図４及び図６に示すように、天板４１と該天板４１の両側縁から下方へ突出された側面板４２、４３と該側面板４２、４３の下縁から互いに近づく方向へ突出された受け板４４、４４とから成る。そして、ホルダ１０は、その後端部が上記シャーシ１７の後端部上面に回動自在に支持されており、天板４１と側面板４２、４３と受け板４４、４４とによって囲まれた扁平な空間内に上記ディスクカートリッジ２が挿入される。
【００２９】
ホルダ１０の左右側面板４２、４３の前端部上縁には、それぞれ外方へ向かって突出された引掛片４５、４５が設けられている。そして、引掛片４５、４５は上記カバー体８に形成された図示しない引掛部に引っ掛けられるようになっている。即ち、ホルダ１０が下方側の移動端である装着位置に、また、カバー体８が閉塞位置にある状態からカバー体８が稍開放位置へ向けて回動したところでカバー体の引掛部がホルダ１０の引掛片４５、４５を引っ掛け、そこからさらにカバー体８が開放位置向けて回動するのに従ってホルダ１０が上方側の移動端である挿脱位置へ向けて回動される。
【００３０】
ホルダ１０の天板４１には２つのバネ部４６、４６が先端が稍上方に位置するように切り起こし状に形成されている。該バネ部４６、４６は２又状に形成され、幅広のカバー体押し上げ部４６ａ、４６ａと幅狭のカートリッジ押さえ部４６ｂ、４６ｂとを有する。そして、カバー体押し上げ部４６ａ、４６ａの方がカートリッジ押さえ部４６ｂ、４６ｂより上側に位置している。尚、天板４１の別の箇所に単独のカートリッジ押さえ部４６ｂが形成されている。
【００３１】
カバー体８が図１に示す閉塞位置にある状態では、バネ部４６、４６のカバー体押し上げ部４６ａ、４６ａがカバー体８によって下方へ押圧されてバネ部４６、４６が下方へ撓み、カートリッジ押さえ部４６ｂ、４６ｂ、４６ｂがディスクカートリッジ２を受け板４４、４４に押し付けた状態（ディスクカートリッジ２がホルダ１０に挿入されている場合）となっている。カバー体８が開放位置まで回動されると、カバー体８の図示しない引掛部がホルダ１０の引掛片４５、４５を引っ掛けて上方へ引っ張るので、ホルダ１０は挿脱位置まで回動する。
【００３２】
従って、カバー体８が閉塞位置から開放位置へ向けて回動されると、上記バネ部４６、４６に蓄えられていた弾発力がカバー体押し上げ部４６ａ、４６ａを介してカバー体８に作用し、カバー体８はホルダ１０より稍上方側まで回動され、該ホルダ１０に対して稍開いた状態となる（図２参照）。
【００３３】
ホルダ１０の右側面壁４３の前半部にはホルダ１０の内側へと突出されたシャッター戻しバネ４７が打ち出し状に形成されている（図４及び図８参照）。シャッター戻しバネ４７は前後方向へ長く形成され、後端が側面壁４３に連続され、前端部がホルダ１０の内側に突出している。シャッター戻しバネ４７の前端部は楔状に屈曲され、右側面壁４３に対して略直角を為す引掛部４７ａと該引掛部４７ａの内端から前方かつ右方へ傾斜して延びる導入部４７ｂとが形成されている。
【００３４】
ホルダ１０の右側面壁４３の前後方向における中央より僅かに後方の部分には、右側面壁４３の一部を内方へ折り曲げて形成されたシャッター開放部材４８が形成されている（図８乃至図１０参照）。シャッター開放部材４８は前後方向に長い板状をしており、周辺部が上方へ折り曲げられて折曲縁４８ａが形成され、さらに、前後に離間して上方へ打ち出された打ち出し突起４８ｂ、４８ｂが形成されている。打ち出し突起４８ｂ、４８ｂの上面は半球面を為し、また、打ち出し突起４８ｂ、４８ｂの上方への打ち出し高さは折曲縁４８ａの上方への折曲高さより大きくされている。
【００３５】
ホルダ１０の右側の受け板４４の後端寄りの部分には下方へ突出したロック解除片４９が設けられており、該ロック解除片４９の後縁には上方を向いた爪４９ａが形成されている（図１０参照）。
【００３６】
シャーシ１７の上面の右奥部にイジェクトレバー５０が回動自在に支持されている（図３及び図１０参照）。イジェクトレバー５０は金属板で形成され、略左右方向に延びる主部５０ａと該主部５０ａの右端から略後方へ延びる屈曲部５０ｂとが略横倒Ｌ字状に連続されて成る。主部５０ａの左端部には上方へ突出した押圧片５０ｃが形成され、屈曲部５０ｂの後端部には右斜め前方へ突出した被係合片５０ｄが形成されている。また、屈曲部５０ｂと被係合片５０ｄとの間の部分には、下方へ突出したバネ掛け片５０ｅが形成されている。
【００３７】
イジェクトレバー５０は主部５０ａ及び屈曲部５０ｂがシャーシ１７の上面に接触するように沿って位置した状態で屈曲部５０ｂの後端部がシャーシ１７の右端部後端に回動自在に支持され、上記バネ掛け片５０ｅはシャーシ１７の右端部でその後端部に形成された挿通孔１７ａを通してシャーシ１７の下面側に突出している。
【００３８】
イジェクトレバー５０のバネ掛け片５０ｅとシャーシ１７の後端右端部に下方へ突出するように形成されたバネ掛け片１７ｂとの間に引張コイルバネ５１が張設され（図７及び図１０参照）、該引張コイルバネ５１によって、イジェクトレバー５０は上方から見て反時計回り方向（図１０中矢印ＣＣＷ方向）と主部５０ａがシャーシ１７に押し付けられる方向とに付勢されている。
【００３９】
シャーシ１７の上記挿通孔１７ａの稍左前方には上方へ打ち出した係止突起１７ｃが形成されている（図１０参照）。
【００４０】
ホルダ１０の天板４１には、シャーシ１７の開口部２９に対応した位置に大きな開口部５２が形成されている（図４、図６及び図８参照）。
【００４１】
ヘッドシフト板５３が天板４１の上記開口部５２の後縁に近接した位置から開口部５２の方へ突出するように上下方向へ回動自在に支持されている（図４及び図６参照）。ヘッドシフト板５３は横幅が上記開口部５２の横幅を略カバーする大きさに形成され、後端部の両側部から後方へ突出して設けられた被支持片５４、５４がホルダ１０の天板４１に設けられた支持片５５、５５に回動自在に支持されている。
【００４２】
右側の被支持片５４は支持片５５に支持された箇所からさらに後方へ延長され、該後方延長部５４′の後端に右方へ突出した被駆動片５３ａが形成され、また、ヘッドシフト板５３の前端寄りの右側縁から右方へ突出したバネ当て片５３ｂが設けられている。
【００４３】
上記開口部５２の右側縁に沿うようにして天板４１に一体に形成された前後方向に長い板状の戻しバネ５６の後端部がヘッドシフト板５３のバネ当て片５３ｂに下側から弾接されることによって、ヘッドシフト板５３は前端部が上方へ、また、後端部、即ち、被駆動片５３ａの形成された部分が下方へ付勢される。その結果、被駆動片５３ａは上記制御レバー３４の傾斜カム縁３５上に位置された状態となる（図６及び図１７参照）。
【００４４】
磁気ヘッド装置５７は、先端側に磁気ヘッド５８を支持したヘッド支持アーム５９と、該ヘッド支持アーム５９の先端部の下方への過剰な変位を規制するアーム支持板６０とを備えている（図３、図４及び図６参照）。
【００４５】
ヘッド支持アーム５９はリン青銅などの弾性を有する薄い金属板を打ち抜いて形成されている。アーム支持板６０はＬ字状に折り曲げられた先端部６０ａがヘッド支持アーム５９の先端側の下面を支持し、アーム支持板６０とヘッド支持アーム５９の基端部が共に側面形状でコ字状をした連結部材６１の上端部６１ａに固定支持されている。そして、上記連結部材６１の下端部６１ｂは上記光ピックアップ１６の下面に固定されるている（図７参照）。
【００４６】
シャーシ１７の底面側のイジェクトレバー５０と対向する側の図７のｋの位置にバッテリー（電池）１００が配設されている（図７参照）。
【００４７】
光磁気ディスク記録装置１にあっては、上記したように、イジェクトレバー５０が光ピックアップ１６や磁気ヘッド装置５７が配置された側に配置されているにもかかわらず、シャーシ１７から上方へ突出するのは押圧片５０ｃ（押圧部）のみであり、主部５０ａ、屈曲部５０ｂ及び被係合片５０ｄは何れもシャーシ１７の上面側において上面に沿って位置され、バネ掛け片５０ｅはシャーシ１７の下面側に突出している。従って、イジェクトレバー５０がシャーシ１７上に配置された他の部材、特に光ピックアップ１６と磁気ヘッド装置５７を連結する連結部材６１と干渉することがなく、スペースの有効利用を図って光磁気ディスク記録装置１の小型化を図ることができる。
【００４８】
図１１は制御装置部の要部を示すブロック図である。
【００４９】
制御装置部は、マイクロコンピュータ等から成る制御部６２を有し、該制御部６２によって光ピックアップドライバ６３を介して光ピックアップ１６が制御される。また、制御部６２によってモータドライバ６４を介して制御モータ３９が制御され、制御レバー３４、ヘッドシフト板５３等から成るヘッド昇降機構６５が制御されて磁気ヘッド５８の昇降動作が為される。さらに、記録スイッチ６６及びハーフロックスイッチ６７の出力が制御部６２に入力され、該入力に基づいて種々の制御が為される。
【００５０】
次に、上記光磁気ディスク記録装置１の動作について説明する（図１２乃至図１９参照）。
【００５１】
図１に示す状態はカバー体８が閉塞位置にある状態を示しており、この状態で、光磁気ディスク４に対する記録又は再生が為され、また、停止時もこの状態である。
【００５２】
停止時において、図１に示す状態からオープン摘子１１が解錠方向、即ち、図中矢印Ｈ方向へ移動されると、オープンレバー２３、引張コイルバネ２４を介してロックレバー１８が解錠方向、即ち、図中矢印Ｈ方向へ押圧され、ロックレバー１８が圧縮コイルバネ２０を圧縮しながら解錠方向へ移動する（図１２中２点鎖線参照）。このとき、上記したように、引張コイルバネ２４の引張力の方が圧縮コイルバネ２０の伸張力より大きくされているので、引張コイルバネ２４はほとんど伸張することがない。そして、ロックレバー１８が解錠方向へ移動されると、図１２に２点鎖線で示すように、ロックレバー１８のロック爪１９とカバー体８の係合部材２５の係止部２５ａとの係合が解除される。
【００５３】
ロック爪１９と係止部２５ａとの係合が解除されると、カバー体８が閉塞位置にあることによってカバー体８によって押圧されて変形していたホルダ１０のバネ部４６、４６の弾発力によりカバー体８が僅かに開放位置方向へ向けて回動する。そして、ユーザーがカバー体８の前端部を持って引き上げると、カバー体８は図２に示す開放位置まで回動し、該カバー体８の図示しない引掛部によって引掛片４５、４５が引っ張り上げられてホルダ１０が図２に示す挿脱位置まで回動する。
【００５４】
尚、ユーザーがオープン摘子１１に加えていた力を除けば、オープン摘子１１、オープンレバー２３及びロックレバー１８は圧縮コイルバネ２０の伸張によって矢印Ｉ方向へ戻る。
【００５５】
次に、ユーザーは、イジェクト位置まで回動されたホルダ１０にディスクカートリッジ２を挿入する。
【００５６】
ディスクカートリッジ２はホルダ１０に挿入される過程においてシャッター６が開放位置へと移動し、光ピックアップアクセス孔及びヘッドアクセス孔５が開放される。即ち、ディスクカートリッジ２がホルダ１０内に挿入されていくと、ホルダ１０の右側面板４３に形成されたシャッター開放部材４８が相対的にディスクカートリッジ２の溝３ａ内に入っていき（図１３中２点鎖線参照）、シャッター６を閉塞位置にロックしているロック部材の被押圧部６ｂを押圧してロックを解除すると共にシャッター６を開放位置へ向けて押圧する。開放位置へ向けて移動されたシャッター６が開放位置に達すると、ホルダ１０の右側面板４３に設けられたシャッター戻しバネ４７の引掛部４７ａがシャッター６の係合孔６ａに係合する。
【００５７】
尚、シャッター開放部材４８は金属板から成るホルダ１０の一部を切り起こして形成されているが、その周縁部が一の方向（上方）に折り曲げられて折曲縁４８ａとされているため、シャッター開放部材４８がディスクカートリッジ２の溝３ａ内を移動するときに溝３ａの対向する側面のうちの少なくとも一方の面をシャッター開放部材４８のエッジで削ってしまうことを回避することができる。また、シャッター開放部材４８には折曲縁４８ａの折曲方向と同じ方向に打ち出して形成した打ち出し突起４８ｂ、４８ｂが形成され、しかも、該打ち出し突起４８ｂ、４８ｂの上面が半球面に形成されると共にその打ち出し高さが折曲縁４８ａの折曲高さより大きくされているので、上記溝３ａの側面のうち折曲縁４８ａの折曲方向に位置する面が削られてしまうこともない。さらに、シャッター開放部材４８は薄い金属板で形成されていながら、折曲縁４８ａが形成されることによって、実質的な厚みを有することになり、例えば、上記溝３ａの側面とロック部材の被押圧部６ｂとの間に隙間ができているような場合であっても、シャッター開放部材４８が該隙間に入り込みシャッター６の開放が不能になってしまうという事態を避けることができる。
【００５８】
尚、上記には、打ち出し突起４８ｂ、４８ｂを一方の面にのみ形成したシャッター開放部材４８を示したが、これに限らず、シャッター開放部材の両面に打ち出し突起を設けてもよい。
【００５９】
また、シャッター開放部材４８の高さ、即ち、ホルダ１０の右側の受け板４４からの距離は、ディスクカートリッジ２の両側部下面が受け板４４、４４上に載置された状態においてシャッター開放部材４８がディスクカートリッジ２の溝３ａの側面に触れないように設定されている。これは、ディスクカートリッジ２の荷重がシャッター開放部材４８にかからないようにし、シャッター開放部材４８の変形を防止するためである。
【００６０】
一方、ディスクカートリッジ２がホルダ１０に挿入されていくと、同時に、引張コイルバネ５１の付勢力によってイジェクト位置にあったイジェクトレバー５０（図１４（Ａ）参照）の押圧片５０ｃがディスクカートリッジ２によって押圧されて上方から見て時計回り方向（矢印ＣＷ方向）へ回動し、屈曲部５０ｂの右側縁がシャーシ１７に打ち出された係止突起１７ｃに係合してロック位置にロックされる（図１５（Ａ）参照）。そして、この状態でホルダ１０に設けられ被係合片５０ｄと離間されていたロック解除片４９（図１４（Ａ）、（Ｃ）参照）がイジェクトレバー５０の被係合片５０ｄによって稍左方へ、即ち、図１４（Ｃ）中矢印Ｎ方向へと押圧され、ロック解除片４９は矢印Ｎ方向へ稍撓んだ状態とされる（図１５（Ｃ）参照）。
【００６１】
次いで、カバー体８を閉塞位置へ向けて回動すると、挿脱位置にあったホルダ１０（図１４（Ｂ）参照）が装着位置まで回動され（図１６（Ｂ）参照）、また、カバー体８の係止部２５ａにロック爪１９の爪部１９ａが係合し、カバー体８が閉塞位置にロックされる（図１及び図１２中実線参照）。
【００６２】
上記のように、カバー体８が図２に示す開放位置から下方へ回動されるときには、係合部材２５の傾斜部２５ｂが上記ロック爪１９の傾斜縁１９ｂと当接し、かつ、該傾斜縁１９ｂを右方、即ち、図１２中矢印Ｈ方向へ押圧し、従って、ロックレバー１８が圧縮コイルバネ２０を圧縮しながら矢印Ｈ方向へ移動し、係合部材２５の係止部２５ａがロック爪１９の爪部１９ａより下に通過することができる。係止部２５ａが爪部１９ａより下に位置すると、ロックレバー１８が圧縮コイルバネ２０の伸張力によって矢印Ｉ方向へ移動し、ロック爪１９の爪部１９ａがカバー体８の係止部２５ａに上側から係合する。従って、カバー体８は図１に示す閉塞位置にロックされる（図１２の実線参照）。
【００６３】
ディスクカートリッジ２は所定の装着位置に装着されて、光磁気ディスク４がターンテーブル２１上に装着される。
【００６４】
ホルダ１０が挿脱位置から装着位置へと移動する間に、ホルダ１０のロック解除片４９の爪４９ａがイジェクトレバー５０の被係合片５０ｄの左側縁を摺動しながら相対的にイジェクトレバー５０より下方へと移動して行く。そして、ホルダ１０が装着位置に達すると、爪４９ａの右側面からイジェクトレバー５０の被係合片５０ｄがなくなるので、撓んでいたロック解除片４９が元の状態に戻り、これによって、ロック解除片４９の爪４９ａは矢印Ｏ方向へと移動してイジェクトレバー５０の被係合片５０ｄの下側に入り込んだ状態となる（図１６（Ｂ）（Ｃ）参照）。
【００６５】
また、この状態では、制御レバー３４は移動範囲の後端、即ち、非記録位置にあり（図１７参照）、規制部３７は上記ロックレバー１８の被規制部２１の右側においてその後方に位置し、ロックレバー１８は解錠方向である矢印Ｈ方向へ移動可能な状態、即ち、カバー体８の閉塞位置へのロックを解除することが可能な状態となっている。さらに、傾斜カム縁３５の前端部にヘッドシフト板５３の被駆動片５３ａが位置し、ヘッドシフト板５３は戻しバネ５６の付勢力によって前端が上方へ移動するように回動し、該ヘッドシフト板５３の前端部がアーム支持板６０及びヘッド支持アーム５９を上方へ押し上げ、従って、磁気ヘッド５８は光磁気ディスク４から上方へ離間した非記録位置にある（図１７参照）。
【００６６】
上記した光磁気ディスク記録装置１にあっては、ヘッド移動部材であるヘッドシフト板５３が付勢手段である戻しバネ５６によって非記録位置の方向へ付勢されているので、ヘッドシフト板５３に他に力が及ぼされていない限り、ヘッドシフト板５３は戻しバネ５６によって非記録位置の方向へ移動されており、磁気ヘッド５８がホルダ１０に出し入れされる光磁気ディスク４等によって損傷されるおそれがない。
【００６７】
光磁気ディスク４についての再生を行う場合には、上記したように、磁気ヘッド５８が光磁気ディスク４から離間した状態で信号の再生動作が行われる。即ち、スピンドルモータ２６によって光磁気ディスク４が回転されると共に光ピックアップ１６が光磁気ディスク４の半径方向へ移動しながら、光磁気ディスク４の信号記録面へのレーザー光の照射とその戻り光の検出が行われ、光磁気ディスク４に記録された信号の再生が為される。
【００６８】
光ディスク４に対して信号の記録を行う場合には、本体ケース７の前面に設けられた記録摘子１２を記録方向、即ち、図１中矢印Ｈ方向へ移動させる。記録摘子１２を矢印Ｈ方向へ移動させると、制御モータ３９の駆動によりガイド軸３０及び該ガイド軸３０の一端部に固定されたピニオン３８が回転され、該ピニオン３８によってラック３６が送られて制御レバー３４が前方、即ち、図１７中矢印Ｋ方向へ移動され、前端に設けられた規制部３７がロックレバー１８の被規制部２１の直ぐ右側に位置する（図１８参照）。従って、カバー体８の閉塞位置へのロックを解除することができない状態となる。
【００６９】
即ち、この状態で、オープン摘子１１を解錠方向、即ち、矢印Ｈ方向へ移動させると、オープンレバー２３及び引張コイルバネ２４を介してロックレバー１８は解錠方向、即ち、矢印Ｈ方向へ引っ張られるが、ロックレバー１８の被規制部２１の直ぐ右側に制御レバー３４の規制部３７が位置しているため、被規制部２１が規制部３７に接し（図１２の２点鎖線参照）ロックレバー１８は解錠方向へ移動することができず、爪部１９ａと係合部２５ａとの係合は解除されず、カバー体８は閉塞位置にロックされたままである。
【００７０】
この場合、ロックレバー１８は解錠方向へ動かないが、引張コイルバネ２４が伸張することによって、オープンレバー２３及びオープン摘子１１は解錠方向へ移動するので、操作者には通常のオープン操作時に近い感触が得られ、違和感が与えられることがない。また、操作者の誤解に基づく無理な操作によってオープン摘子１１、オープンレバー２３、ロックレバー１８等が破損されてしまうおそれもない。
【００７１】
ヘッドシフト板５３の被駆動片５３ｂは傾斜カム縁３５を滑り上がっていって最高位置部上に載った状態となり（図１８参照）、ヘッドシフト板５３は戻しバネ５６の付勢力に抗して前端が下方へ移動するように回動し、この結果、アーム支持板６０及びヘッド支持アーム５９が下方へ、即ち、図１７中矢印Ｐ方向へ回動し、磁気ヘッド５８が光磁気ディスク４の上面のうち光ピックアップ１６によってレーザー光を照射される部分に対応した位置に当接した状態となる（図１８参照）。この状態で、光磁気ディスク４の信号記録面に光ピックアップ１６によって再生時より強いレーザ光が照射されると共に磁気ヘッド５８によって磁界が印加され、光磁気ディスク４の信号記録面に新たな信号が記録される。このような信号の記録は光ピックアップ１６が光磁気ディスク４の半径方向へ移動しながら為され、磁気ヘッド５８も光ピックアップ１６とともに移動される。
【００７２】
尚、記録摘子１２が操作されてから制御レバー３４の移動範囲の前端である記録位置に達するのには、ある程度の時間、例えば、２００ミリ秒（ｍｓ）の時間がかかる。そこで、例えば、記録摘子１２が操作されてから制御レバー３４が記録位置に達するまでの間にオープン摘子１１が解錠方向へ操作されると、カバー体８の閉塞位置へのロックが解除されてしまうため、ホルダ１０が挿脱位置まで回動されてディスクカートリッジ２の挿脱が為されるおそれがある。この状態でディスクカートリッジ２のホルダ１０に対する挿脱が行われると、記録位置までの移動過程にある磁気ヘッド５８に光磁気ディスク４やカートリッジケース３或いはシャッター６等が接触して光磁気ディスク４や磁気ヘッド５８が損傷を受けるおそれがある。そこで、かかる場合に備えて、制御部６２が図２０のフローチャートに示すような動作を行って磁気ヘッド５８等の損傷の危険を回避する措置が執られるようになっている。
【００７３】
図１１において、記録スイッチ６６は記録摘子１２の記録方向、即ち、矢印Ｈ方向への移動によってＯＮとなるスイッチであり、ハーフロックスイッチ６７はロックレバー１８の解錠方向、即ち、矢印Ｈ方向への移動によってロックレバー１８のスイッチ押圧片２２によって操作されてＯＮとなるスイッチである。
【００７４】
制御部６２は記録スイッチ６６がＯＮで、ハーフロックスイッチ６７が所定の時間内にＯＮとならない場合にのみ磁気ヘッド５８を記録位置まで移動させて記録動作に入るようにされ、記録スイッチ６６がＯＮになっても所定の時間内にハーフロックスイッチ６７がＯＮになった場合は、制御モータ３９を逆転させて磁気ヘッド５８を非記録位置へと戻すようになっている。
【００７５】
以下に、図２０のフローチャートを参照して、カバー体８の開放禁止の処理について説明する。
【００７６】
ステップＳ１において、光磁気ディスク記録装置１が起動する。
【００７７】
ステップＳ２において、記録スイッチ６６がＯＮになっているか否かが検出され、ＯＮであればステップＳ３に進み、ＯＦＦであれば記録スイッチ６６の検出処理が繰り返される。
【００７８】
ステップ３において、制御部６２内のカウンターをＯＮさせて計時を開始する。
【００７９】
ステップ４において、昇降機構の駆動、即ち、制御モータ３９の駆動が開始される。
【００８０】
ステップ５において、制御部６２によってハーフロックスイッチ６７のＯＮの確認を行う。ハーフロックスイッチ６７がＯＦＦの場合にはステップ６に進みカウンターをチェックし、ハーフロックスイッチ６７がＯＦＦの場合にはステップ９に進み昇降機構が逆転する。
【００８１】
ステップ６において、カウンターがチェックされ、２００ｍｓ経過していない場合には、ステップ５においてハーフロックスイッチ６７のＯＮの確認を行い、２００ｍｓ経過した場合には、ステップ７に進み記録動作を開始する。
【００８２】
ステップ７において、記録動作を開始し、記録動作終了とともに処理を終了する（ステップ８）。
【００８３】
ステップ９において、昇降機構を逆転、即ち、制御モータ３９を逆転させて磁気ヘッド５８を非記録位置へと戻した後、処理を終了する（ステップ８）。
【００８４】
光磁気ディスク４に対する信号の記録が終了すると、制御モータ３９の駆動によって、制御レバー３４が後方、即ち、図１８中矢印Ｌ方向へ移動し、規制部３７がロックレバー１８の被規制部２１の右側の位置から後方へ移動し、カバー体８の閉塞位置へのロックを解除することが可能な状態となる（図１７参照）。同時に、傾斜カム縁３５の前端がヘッドシフト板５３の被駆動片５３ａに対応したところに来て、ヘッドシフト板５３が戻しバネ５６の付勢力によって前端部が上方へ移動するように、即ち、図１８中矢印Ｑ方向へ回動し、該ヘッドシフト板５３の前端部がアーム支持板６０及びヘッド支持アーム５９を上方へ押し上げるので、ヘッド支持アーム５９の前端部に支持されている磁気ヘッド５８が上方へ移動して光磁気ディスク４から離間する（図１７参照）。
【００８５】
次に、オープン摘子１１を右方、即ち、図１中矢印Ｈ方向へ移動させて、ロックレバー１８を図１２中矢印Ｈ方向へ移動させロック爪１９をカバー体８の係止部２５ａから外してカバー体８に対する閉塞位置へのロックを解除して、図２に示すように開放位置へと移動させると、カバー体８とともにホルダ１０も挿脱位置へ向かって上方へ回動される（図１９参照）。
【００８６】
ホルダ１０が挿脱位置へ向けて回動すると、上方へ移動するロック解除片４９の爪４９ａがイジェクトレバー５０の被係合片５０ｄを上方へ引っ張り上げるので、イジェクトレバー５０の屈曲部５０ｂがシャーシ１７の上面から僅かに浮いた状態となり、この瞬間にイジェクトレバー５０の屈曲部５０ｂとシャーシ１７の係止突起１７ｃとの係合が解除され、イジェクトレバー５０は引張コイルバネ５１の付勢力によって上方から見て反時計回り方向、即ち、図１６（Ａ）中矢印ＣＣＷ方向へ回動し、この回動によって略前方へと移動する押圧片５０ｃによってディスクカートリッジ２が押され、ディスクカートリッジ２の一部がホルダ１０から突出した状態となる（図１９参照）。従って、ユーザーは、ホルダ１０から突出した一部を摘んでディスクカートリッジ２をホルダ１０から取り出すことができるようになる。
【００８７】
イジェクトレバー５０は、その一部が係止突起１７ｃを乗り上げて被係合片５０ｄがシャーシ１７の右側壁１７ｄに係合したところ、即ち、イジェクト位置で停止する（図１４（Ａ）参照）。
【００８８】
ユーザーがディスクカートリッジ２をホルダ１０から取り出すときに開放位置にあったシャッター６は、係合孔６ａに係合しているシャッター戻しバネ４７の引掛部４７ａによって相対的に閉塞位置へ向けて引っ張られて閉塞位置へと移動される。
【００８９】
ホルダ１０が図２に示す挿脱位置に達すると、上記したように、ディスクカートリッジ２はイジェクトレバー５０によって押圧されてその一部がホルダ１０から突出する。そして、信号の再生及び／又は記録が済んだディスクカートリッジ２をホルダ１０から取り出し、新たに、ユーザーは信号の再生及び／又は記録を行うディスクカートリッジ２をホルダ１０内に挿入する。
【００９０】
尚、上記した実施の形態において示した各部の形状及び構造は、何れも本発明の実施に際して行う具体化のほんの一例を示したものに過ぎず、これらによって、本発明の技術的範囲が限定的に解釈されることがあってはならないものである。
【００９１】
【発明の効果】
以上に記載したところから明らかなように、本発明カバー体のロック機構は、本体部を閉塞する閉塞位置と本体部を開放する開放位置との間を移動するカバー体と、上記カバー体を閉塞位置にロックするロック位置と該ロックを解除するロック解除位置との間を移動するロックレバーと、ロックレバーのロック解除位置への移動を規制する規制位置とロックレバーのロック解除位置への移動を許容する非規制位置との間を移動する規制手段と、ロックレバーをロック位置へ向けて付勢する第１の付勢手段と、ロックレバーと操作部との間を連結すると共に操作部をロックレバーのロック位置と同じ方向へ付勢し且つ第１の付勢手段の付勢力より大きな付勢力を有するする第２の付勢手段とを備え、上記規制手段が非規制位置にあるときに操作部をロック解除位置へと移動させると第１の付勢手段に抗してロックレバーがロック解除位置へと移動され、上記規制手段が規制位置にあるときに操作部をロック解除位置へと移動させると第２の付勢手段に抗して操作部のみがロック解除位置へと移動することを特徴とする。
【００９２】
従って、本発明カバー体のロック機構にあっては、ロックレバーのロック解除位置への移動が規制されている場合であっても、操作部はロック解除方向に移動可能であるので、操作者に違和感を与えることがなく、また、操作者の誤解による機構の破損のおそれもない。
【図面の簡単な説明】
【図１】図２乃至図２０と共に本発明を光磁気ディスク記録装置に適用した実施の形態を示すものであり、本図はカバー体が閉塞位置にある状態を示す斜視図である。
【図２】カバー体を開放位置に移動した状態をディスクカートリッジと共に示す斜視図である。
【図３】装置本体部の概略斜視図である。
【図４】内部機構を示す概略斜視図である。
【図５】内部機構の前端部を示す分解斜視図である。
【図６】内部機構の平面図である。
【図７】装置本体部の底面図である。
【図８】ホルダの一部切欠平面図である。
【図９】シャッター開放部材の拡大平面図である。
【図１０】イジェクトレバーとそれに関連する部材を一部を切り欠いて示す拡大斜視図である。
【図１１】制御装置の要部を示すブロック図である。
【図１２】機構部及びカバー体の概略正面図である。
【図１３】ディスクカートリッジの一部と共に示すシャッター開放部材の拡大側面図である。
【図１４】図１５及び図１６と共にイジェクトレバーの動作を示すものであり、本図はイジェクト位置にある状態を示し、（Ａ）は要部の平面図、（Ｂ）は要部の側面図、（Ｃ）は（Ｂ）のＭ視図である。
【図１５】ホルダが装着位置に到達する直前の状態を示すものであり、（Ａ）は要部の平面図、（Ｂ）は要部の側面図、（Ｃ）は（Ｂ）のＭ視図である。
【図１６】ロック位置にある状態を示すものであり、（Ａ）は要部の平面図、（Ｂ）は要部の側面図、（Ｃ）は（Ｂ）のＭ視図である。
【図１７】非記録状態を示す概略側面図である。
【図１８】記録状態を示す概略側面図である。
【図１９】イジェクト状態を示す概略側面図である。
【図２０】カバー体の開放禁止に関するフローチャートである。
【図２１】従来のカバー体のロック機構の一例を示す概略平面図であり、（Ａ）は停止時又は再生時の状態を示し、（Ｂ）はロックレバーがロック解除位置へ移動した状態を示し、（Ｃ）は記録時の状態を示すものである。
【符号の説明】
８…カバー体、９…装置本体部（本体部）、１１…オープン摘子（操作部）、１８…ロックレバー、２０…圧縮コイルバネ（第１の付勢手段）、２４…引張コイルバネ（第２の付勢手段）、３４…制御レバー（規制手段）
【図１】
0004164725.tif 000002
【図２】
0004164725.tif 000003
【図３】
0004164725.tif 000004
【図４】
0004164725.tif 000005
【図５】
0004164725.tif 000006
【図６】
0004164725.tif 000007
【図７】
0004164725.tif 000008
【図８】
0004164725.tif 000009
【図９】
0004164725.tif 000010
【図１０】
0004164725.tif 000011
【図１１】
0004164725.tif 000012
【図１２】
0004164725.tif 000013
【図１３】
0004164725.tif 000014
【図１４】
0004164725.tif 000015
【図１５】
0004164725.tif 000016
【図１６】
0004164725.tif 000017
【図１７】
0004164725.tif 000018
【図１８】
0004164725.tif 000019
【図１９】
0004164725.tif 000020
【図２０】
0004164725.tif 000021
【図２１】
0004164725.tif 000022